(57)【要約】【課題】映像監視に必要な通信の容量を減らしつつ、管理者の映像監視の負担を低減可能にする映像監視方法およびサーバならびに映像監視システムを提供する。【解決手段】カメラ１００が、撮像した動画を記録し、カメラ１００が、動画から第１の時間間隔で抽出した静止画像をサーバ２００へ送信し、サーバ２００が、静止画像を管理者端末３００へ送信し、管理者端末３００が、静止画像を指定するための入力を受け付け、サーバ２００が、指定された静止画像を特定するための情報をカメラ１００へ送信し、カメラ１００が、指定された静止画像よりも所定時間以前の動画、あるいは所定時間よりも短い第２の時間間隔で所定時間以前の動画から抽出した複数の静止画像をサーバ２００に送信し、サーバ２００は、所定時間以前の動画、あるいは第２の時間間隔で抽出された複数の静止画像を管理者端末３００に送信する。【選択図】図１
2017192022.tif 000002
【特許請求の範囲】
【請求項１】
カメラが、撮像した動画を記録し、
前記カメラが、前記動画から第１の時間間隔で抽出した静止画像をサーバへ送信し、
前記サーバが、前記静止画像を管理者端末へ送信し、
前記管理者端末が、前記静止画像を指定するための入力を受け付け、
前記サーバが、前記指定された前記静止画像を特定するための情報を前記カメラへ送信し、
前記カメラが、前記カメラで記録した前記指定された前記静止画像よりも所定時間以前の前記動画、あるいは前記所定時間よりも短い第２の時間間隔で前記所定時間以前の前記動画から抽出した複数の前記静止画像を前記サーバに送信し、
前記サーバは、前記所定時間以前の前記動画、あるいは前記第２の時間間隔で抽出された複数の前記静止画像を前記管理者端末に送信する、
映像監視方法。
【請求項２】
前記サーバが前記管理者端末へ送信する前記静止画像はサムネイル画像である、請求項１に記載の映像監視方法。
【請求項３】
カメラにより記録された動画から第１の時間間隔で抽出される静止画像を受信し、管理者端末を介して指定された前記静止画像を特定するための情報を前記カメラへ送信する通信部を有し、
前記通信部は、前記指定された前記静止画像よりも所定時間以前の前記動画、あるいは前記所定時間よりも短い第２の時間間隔で前記所定時間以前の前記動画から抽出された複数の前記静止画像を前記カメラから受信し、受信した前記動画、あるいは前記第２の時間間隔で抽出された複数の前記静止画像を前記管理者端末へ送信する、
サーバ。
【請求項４】
カメラと、前記カメラとネットワークを介して接続されるサーバと、を有する映像監視システムであって、
前記カメラは、
撮像した動画を記録し、
前記動画から第１の時間間隔で抽出した静止画像をサーバへ送信し、
前記サーバは、
前記カメラにより記録された動画から第１の時間間隔で抽出される静止画像を受信し、管理者端末を介して指定された前記静止画像を特定するための情報を前記カメラへ送信する通信部を有し、前記通信部は、前記指定された前記静止画像よりも所定時間以前の前記動画、あるいは前記所定時間よりも短い第２の時間間隔で前記所定時間以前の前記動画から抽出された複数の前記静止画像を前記カメラから受信し、受信した前記動画、あるいは前記第２の時間間隔で抽出された複数の前記静止画像を前記管理者端末へ送信する、
映像監視システム。
【請求項５】
カメラが、撮像した動画を記録し、
前記カメラが、前記動画から第１の時間間隔で抽出した静止画像をサーバへ送信し、
前記サーバが、前記カメラから受信した前記静止画像を管理者端末へ送信し、
前記管理者端末が、前記静止画像を指定するための入力を受け付け、
前記サーバが、前記指定された前記静止画像を特定するための情報を前記カメラへ送信し、
前記カメラが、前記指定された前記静止画像よりも所定時間以前の前記静止画像と、前記指定された前記静止画像との差分を検出し、
前記カメラが、前記指定された前記静止画像よりも前記所定時間以前の前記動画を検索し、前記差分が発生した前記静止画像を特定し、特定した前記静止画像を含む動画を前記サーバに送信する、
映像監視方法。
【請求項６】
前記カメラは、前記静止画像内の予め決められた領域を対象に前記差分を検出する、請求項５に記載の映像監視方法。
【請求項７】
前記管理者端末は、前記差分が検出された前記静止画像を含む前記動画を再生する、請求項６に記載の映像監視方法。
【発明の詳細な説明】
【技術分野】
【０００１】
本発明は、映像監視方法およびサーバならびに映像監視システムに関するものである。
【背景技術】
【０００２】
駐車場を管理する管理者が所有する管理者端末が、カメラから送信される動画を表示することで、駐車場を監視するシステムが知られている。
【０００３】
特開２００６−１１５４３５号公報（特許文献１）には、「複数の監視ポイントごとに設置した監視カメラと監視ポイント近傍又は監視施設に設置したパソコンとを有線又は無線で接続し、該パソコンと遠隔地のパソコンなどのディスプレイを備えた通信端末機器とをインターネット接続し、通信端末機器のディスプレイに、撮影した監視ポイントの画像と、該監視カメラの選択と制御を行う押ボタン画像とを表示させる」技術が記載されている。
【先行技術文献】
【特許文献】
【０００４】
【特許文献１】特開２００６−１１５４３５号公報
【発明の概要】
【発明が解決しようとする課題】
【０００５】
特許文献１に記載されている技術では、カメラで撮像した映像を、パソコンを介して通信端末機器へ送信している。そのため、特許文献１に記載されている技術では、通信の容量が増大し、通信に必要な費用が増加するという不利益がある。また、通信端末機器に表示された映像を確認するために、管理者が拘束される時間が長くなるという不利益がある。
【０００６】
本発明はかかる事情に鑑みてなされたものであり、その目的は、映像監視に必要な通信の容量を減らしつつ、管理者の映像監視の負担を低減可能にする映像監視方法およびサーバならびに映像監視システムを提供することにある。
【課題を解決するための手段】
【０００７】
本発明の映像監視方法は、カメラが、撮像した動画を記録し、カメラが、動画から第１の時間間隔で抽出した静止画像をサーバへ送信し、サーバが、静止画像を管理者端末へ送信し、管理者端末が、静止画像を指定するための入力を受け付け、サーバが、指定された静止画像を特定するための情報をカメラへ送信し、カメラが、カメラで記録した指定された静止画像よりも所定時間以前の動画、あるいは所定時間よりも短い第２の時間間隔で所定時間以前の動画から抽出した複数の静止画像をサーバに送信し、サーバは、所定時間以前の動画、あるいは第２の時間間隔で抽出された複数の静止画像を管理者端末に送信する。
【０００８】
この構成によれば、映像監視に必要な通信の容量を減らしつつ、管理者の映像監視の負担を低減できる。
【０００９】
好適には本発明の映像監視方法は、サーバが管理者端末へ送信する静止画像がサムネイル画像である。
【００１０】
この構成によれば、管理者端末側にて、静止画像を一覧で表示でき、管理者の映像監視の負担をさらに低減できる。
【００１１】
本発明のサーバは、カメラにより記録された動画から第１の時間間隔で抽出される静止画像を受信し、管理者端末を介して指定された静止画像を特定するための情報をカメラへ送信する通信部を有し、通信部は、指定された静止画像よりも所定時間以前の動画、あるいは所定時間よりも短い第２の時間間隔で所定時間以前の動画から抽出された複数の静止画像をカメラから受信し、受信した動画、あるいは第２の時間間隔で抽出された複数の静止画像を管理者端末へ送信する。
【００１２】
本発明の映像監視システムは、カメラと、カメラとネットワークを介して接続されるサーバと、を有する映像監視システムであって、カメラは、撮像した動画を記録し、動画から第１の時間間隔で抽出した静止画像をサーバへ送信し、サーバは、カメラにより記録された動画から第１の時間間隔で抽出される静止画像を受信し、管理者端末を介して指定された静止画像を特定するための情報をカメラへ送信する通信部を有し、通信部は、指定された静止画像よりも所定時間以前の動画、あるいは所定時間よりも短い第２の時間間隔で所定時間以前の動画から抽出された複数の静止画像をカメラから受信し、受信した動画、あるいは第２の時間間隔で抽出された複数の静止画像を管理者端末へ送信する。
【００１３】
本発明の他の映像監視方法は、カメラが、撮像した動画を記録し、カメラが、動画から第１の時間間隔で抽出した静止画像をサーバへ送信し、サーバが、カメラから受信した静止画像を管理者端末へ送信し、管理者端末が、静止画像を指定するための入力を受け付け、サーバが、指定された静止画像を特定するための情報をカメラへ送信し、カメラが、指定された静止画像よりも所定時間以前の静止画像と、指定された静止画像との差分を検出し、カメラが、指定された静止画像よりも所定時間以前の動画を検索し、差分が発生した静止画像を特定し、特定した静止画像を含む動画をサーバに送信する。
【００１４】
この構成によれば、管理者の映像監視の負担をさらに低減できる。
【００１５】
好適には本発明の他の映像監視方法は、カメラが、静止画像内の予め決められた領域を対象に差分を検出する。
【００１６】
この構成によれば、車両が駐車場に正常に停車しているような場合などにイベントを誤まって検出してしまうことを抑制できる。
【００１７】
好適には本発明の他の映像監視方法は、管理者端末は、差分が検出された静止画像を含む動画を再生する。
【００１８】
この構成によれば、イベントの誤検出を抑制するとともに、管理者の映像監視の負担をさらに低減できる。
【発明の効果】
【００１９】
本発明によれば、映像監視に必要な通信の容量を減らしつつ、管理者の映像監視の負担を低減できる。
【図面の簡単な説明】
【００２０】
【図１】本発明の第１の実施形態に係る映像監視システムの構成図である。
【図２Ａ】本発明の第１の実施形態に係る映像監視システムが有する管理者端末のディスプレイに表示される管理者画面の概要を示す図であって、イベントが発生する前のサムネイル画像が指定されている場合の例を示す。
【図２Ｂ】本発明の第１の実施形態に係る映像監視システムが有する管理者端末のディスプレイに表示される管理者画面の概要を示す図であって、イベントが発生した後のサムネイル画像が指定されている場合の例を示す。
【図２Ｃ】本発明の第１の実施形態における管理者端末３００のディスプレイに表示される管理者画面の概要を示す図である。
【図３Ａ】図１に示す第１の実施形態に係る映像監視システムの動作を説明するためのフローチャートである。
【図３Ｂ】図１に示す第１の実施形態に係る映像監視システムの動作を説明するためのフローチャートであって、図３Ａに続く図である。
【図３Ｃ】本発明の実施形態の変形例を説明するための図である。
【図４Ａ】第２の実施形態の映像監視システムに係る動作を説明するためのフローチャートである。
【図４Ｂ】第２の実施形態の映像監視システムに係る動作を説明するための図４Ａの続きのフローチャートである。
【発明を実施するための形態】
【００２１】
＜第１の実施形態＞
［全体構成］
【００２２】
以下、本発明の第１の実施形態について説明する。図１は、本発明の第１の実施形態に係る映像監視システム１０の一例を示す図である。図１に示す映像監視システム１０は、カメラ１００と、カメラ１００とネットワークを介して接続されるサーバ２００と、サーバ２００とネットワークを介して接続される管理者端末３００とを有する。
【００２３】
カメラ１００は、動画を撮像する機能を有する。また、カメラ１００は、処理部１１０と、メモリ１２０と、動画記録部１３０とを有する。
【００２４】
カメラ１００の処理部１１０は、撮像した動画をメモリ１２０に記憶する。また、処理部１１０は、メモリ１２０に記憶されている動画を取得し、取得した動画から第１の時間間隔（例えば、６０分）で静止画像を抽出する。そして、カメラ１００は、第１の時間間隔で抽出した静止画像をサーバ２００へ送信する。このように、撮像した動画から抽出した静止画像を送信することで、動画のすべてを送信するのに対し、通信の容量を削減できる。また、特に、管理者端末３００が、パケット量で従量課金される場合に、通信料が増大するのを抑止できる。
【００２５】
また、カメラ１００の処理部１１０は、これまでにメモリ１２０に記憶した動画から、静止画像特定情報（管理者端末３００の操作部３２０により指定される静止画像を特定するための情報）から特定される静止画像よりも所定時間以前の動画を抽出する。例えば、カメラ１００の処理部１１０は、静止画像特定情報（例えば、静止画像を識別する識別子や、静止画像のファイル名や、静止画像が撮像された時刻など）から特定されるよりも所定時間以前の静止画像から静止画像特定情報から特定される静止画像までの動画をこれまでに記憶した動画から抽出する。そして、カメラ１００の処理部１１０は、抽出した動画から、所定時間（抽出された動画の長さ）よりも短い第２の時間間隔（例えば、５分間）で静止画像を抽出する。
【００２６】
カメラ１００は、指定された静止画像よりも所定時間以前の動画、あるいは所定時間よりも短い第２の時間間隔で所定時間以前の動画から抽出した複数の静止画像をサーバに送信する。これによって、映像監視に必要な通信の容量を減らしつつ、管理者の映像監視の負担を低減できる。
【００２７】
サーバ２００は、通信部２１０と、サムネイル画像生成部２２０と、サーバ２００の各部を制御するのに必要なデータの入出力などを実行する処理部２３０とを有する。
【００２８】
サーバ２００の通信部２１０は、カメラ１００や管理者端末３００から送信された静止画像や動画や各種情報を受信する。また、通信部２１０は、サムネイル画像や動画や各種情報をカメラ１００や管理者端末３００へ送信する。例えば、通信部２１０は、所定時間以前の動画、あるいは第２の時間間隔で抽出された複数の静止画像を管理者端末３００に送信する。また、通信部２１０は、カメラ１００により記録された動画から第１の時間間隔で抽出される静止画像を受信し、管理者端末３００を介して指定された静止画像を特定するための情報をカメラ１００へ送信する。また、通信部２１０は、指定された静止画像よりも所定時間以前の動画、あるいは所定時間よりも短い第２の時間間隔で所定時間以前の動画から抽出された複数の静止画像を受信し、受信した動画、あるいは第２の時間間隔で抽出された複数の静止画像を管理者端末３００へ送信する。
【００２９】
サーバ２００のサムネイル画像生成部２２０は、入力された静止画像に基づきサムネイル画像を生成する。これによって、管理者端末３００側にて、静止画像を一覧で表示でき、管理者の映像監視の負担をさらに低減できる。
【００３０】
管理者端末（例えば、スマートフォンや、携帯電話や、タブレット端末など）３００は、通信部３１０と、操作部３２０と、処理部３３０とを有する。管理者端末３００は、ディスプレイに、静止画像を表示する。管理者は、ディスプレイに表示される静止画像を監視することで、イベント（例えば、ゴミが捨てられたなど）の発生を確認する。
【００３１】
管理者端末３００の操作部３２０は、静止画像を指定するための入力を受け付ける。
【００３２】
管理者端末３００の通信部３１０は、サーバ２００から送信された静止画像や動画を受信する。また、通信部３１０は、操作部３２０により指定された静止画像を特定するための情報である静止画像特定情報をカメラ１００へ送信する。
【００３３】
管理者端末３００の処理部３３０は、サーバ２００から送信されるサムネイル画像を含む管理者画面（前述、図２）をディスプレイに表示させる。
［管理者画面］
【００３４】
図２Ａは、本発明の第１の実施形態における管理者端末３００のディスプレイに表示される管理者画面の概要を示す図であって、イベントが発生する前のサムネイル画像３１１が指定されている場合の例を示す。
【００３５】
図２Ｂは、本発明の第１の実施形態に係る映像監視システムが有する管理者端末３００のディスプレイに表示される管理者画面の概要を示す図であって、イベントが発生した後のサムネイル画像３１１が指定されている場合の例を示す。
【００３６】
管理者端末３００のディスプレイは、画面表示を行うとともに、タッチパネルを介してユーザからのタッチ操作を受け付ける操作部３２０として機能する。より詳細には、操作部３２０は画面表示領域に対するタッチ操作を検出する。そして、操作部３２０は、タッチ操作を受け付けた位置と対応する処理を実行する。
【００３７】
図２Ａ、図２Ｂに示されるように、管理者端末３００のディスプレイには、複数のサムネイル画像３１１が左右方向に並んで一覧で表示される。また、各サムネイル画像３１１が撮像された時刻と、サムネイル画像の種別（発生したイベントの内容としても良い）とが対応付けられて時刻表示欄３１４に一覧で表示される。
【００３８】
操作部３２０は、一覧で表示されているサムネイル画像３１１から、いずれかのサムネイル画像３１１を指定するための入力を受け付ける。指定されたサムネイル画像３１１の枠は、マーカ３１２によって強調表示される。また、指定されたサムネイル画像３１１を拡大した画像が、拡大画像表示領域３１３に表示される。
【００３９】
ゴミ３１５などが捨てられた後のサムネイル画像３１１が指定された場合、図２Ｂに示されるように、捨てられたゴミ３１５を含む画像が、拡大画像表示領域３１３に表示される。  
【００４０】
サムネイル画像（例えば、イベントが発生した直後のサムネイル画像）３１１が指定された状態で、決定ボタン３１６が押下されると、管理者端末３００の通信部３１０は、指定されたサムネイル画像（静止画像）３１１を特定するための情報である静止画像特定情報をサーバ２００へ送信する。なお、図示しない入力欄に時刻を入力し、入力した時刻を静止画像特定情報をサーバ２００へ送信するようにしても良い。
【００４１】
図２Ｃは、本発明の第１の実施形態における管理者端末３００のディスプレイに表示される管理者画面の概要を示す図であって、第２の時間間隔（５分）で抽出された静止画像が一覧で表示されている場合の例を示す。
【００４２】
図２Ｃに示されるように、管理者端末３００のディスプレイには、所定の時間帯（１７：００〜１８：００）内で５分間隔で抽出される複数（１３枚）のサムネイル画像３１１が、格子状に並べられて撮像された時刻と対応付けられて一覧で表示される。
［全体処理］
【００４３】
図３Ａ、図３Ｂは、本発明の第１の実施形態における全体処理の概要を示す図である。図３Ｂは、図３Ａに続く図である。
【００４４】
まず、カメラ１００は、動画を撮像する。また、カメラ１００の処理部１１０は、撮像した動画をメモリ１２０に記録する（Ｓ３０１）。
【００４５】
次に、カメラ１００の処理部１１０は、メモリ１２０に記録した動画から第１の時間間隔（例えば、１時間）で静止画像を抽出する（Ｓ３０２）。
【００４６】
次に、カメラ１００は、抽出した静止画像をサーバ２００へ送信する（Ｓ３０３）。
【００４７】
次に、サーバ２００の通信部２１０は、カメラ１００から送信された静止画像を受信する（Ｓ３０４）。また、通信部２１０は、受信した静止画像をサムネイル画像生成部２２０に入力する。
【００４８】
次に、サーバ２００のサムネイル画像生成部２２０は、入力された静止画像に基づきサムネイル画像を生成する（Ｓ３０５）。サムネイル画像生成部２２０は、生成したサムネイル画像を通信部２１０に入力する。
【００４９】
次に、サーバ２００は、Ｓ３０５にて生成されたサムネイル画像を含む管理者画面（前述、図２）を生成する（Ｓ３０６）。
【００５０】
次に、サーバ２００の通信部２１０は、Ｓ３０６にて生成した管理者画面（管理者画面を表示するための画面データ）を管理者端末３００へ送信する（Ｓ３０７）。
【００５１】
次に、管理者端末３００の処理部３３０は、サムネイル画像を含む管理者画面（前述、図２）をディスプレイに表示させる（Ｓ３０８）。
【００５２】
次に、管理者端末３００の操作部３２０は、静止画像を指定するための入力を受け付ける（Ｓ３０９）。
【００５３】
次に、管理者端末３００の通信部３１０は、Ｓ３０９にて指定された静止画像を特定するための情報である静止画像特定情報をサーバ２００へ送信する（Ｓ３１０）。
【００５４】
次に、サーバ２００の通信部２１０は、管理者端末３００から送信された静止画像特定情報を受信する（Ｓ３１１）。
【００５５】
次に、サーバ２００の通信部２１０は、静止画像特定情報をカメラ１００へ送信する（Ｓ３１２）。
【００５６】
次に、カメラ１００は、静止画像特定情報を受信する（Ｓ３１３）。
【００５７】
次に、カメラ１００の処理部１１０は、これまでに記憶した動画から、静止画像特定情報から特定される静止画像よりも所定時間以前の動画を抽出する（Ｓ３１４）。
【００５８】
次に、カメラ１００の処理部１１０は、Ｓ３１４にて抽出した動画から第２の時間間隔（例えば、５分間）で静止画像を抽出する（Ｓ３１５）。
【００５９】
次に、カメラ１００は、抽出した複数の静止画像をサーバ２００へ送信する（Ｓ３１６）。
【００６０】
次に、サーバ２００の通信部２１０は、カメラ１００から送信された複数の静止画像を受信する（Ｓ３１７）。通信部２１０は、受信した複数の静止画像をサムネイル画像生成部２２０に入力する。
【００６１】
次に、サーバ２００のサムネイル画像生成部２２０は、入力された複数の静止画像に基づき複数のサムネイル画像を生成する（Ｓ３１８）。サムネイル画像生成部２２０は、生成した複数のサムネイル画像を通信部２１０に入力する。
【００６２】
次に、サーバ２００の通信部２１０は、Ｓ３１８にて生成されたサムネイル画像を含む管理者画面（前述、図２）を生成する（Ｓ３１９）。
【００６３】
次に、サーバ２００は、Ｓ３１９にて生成した管理者画面（管理者画面を表示するための画面データ）を管理者端末３００へ送信する（Ｓ３２０）。
【００６４】
次に、管理者端末３００の処理部３３０は、複数のサムネイル画像を含む管理者画面（前述、図２）をディスプレイに表示させる（Ｓ３２１）。
【００６５】
次に、管理者端末３００の操作部３２０は、静止画像を指定するための入力を受け付ける（Ｓ３２２）。
【００６６】
次に、管理者端末３００の通信部３１０は、Ｓ３２２にて指定された静止画像を特定するための情報である静止画像特定情報をサーバ２００へ送信する（Ｓ３２３）。
【００６７】
次に、サーバ２００の通信部２１０は、管理者端末３００から送信された静止画像特定情報を受信する（Ｓ３２４）。
【００６８】
次に、サーバ２００の通信部２１０は、静止画像特定情報をカメラ１００へ送信する（Ｓ３２５）。
【００６９】
次に、カメラ１００は、静止画像特定情報を受信する（Ｓ３２６）。
【００７０】
次に、カメラ１００の処理部１１０は、これまでに記憶した動画から、静止画像特定情報から特定される静止画像よりも所定時間以前（例えば、５分）の動画を抽出する（Ｓ３２７）。
【００７１】
次に、カメラ１００の処理部１１０は、Ｓ３２７にて抽出した動画をサーバ２００へ送信する（Ｓ３２８）。
【００７２】
次に、サーバ２００の通信部２１０は、カメラ１００から送信された動画を受信する（Ｓ３２９）。
【００７３】
次に、サーバ２００は、動画を再生する（Ｓ３３０）。例えば、サーバ２００は、動画をストリーミング再生する。
【００７４】
そして、サーバ２００の通信部２１０は、Ｓ３３０にて再生している再生動画を管理者端末３００へ送信する（Ｓ３３１）。
【００７５】
次に、管理者端末３００の通信部３１０は、サーバ２００から送信された再生動画を受信する（Ｓ３３２）。
【００７６】
次に、管理者端末３００の処理部３３０は、受信した再生動画をディスプレイを介して表示する（Ｓ３３３）。
【００７７】
なお、Ｓ３０５、Ｓ３１８にてサムネイル画像を生成せずに、サーバ２００の通信部３１０が、Ｓ３０６、Ｓ３１９にて静止画像を管理者端末３００へ送信しても良い。
【００７８】
また、カメラ１００は、抽出した静止画像をサーバ２００へ送信ことに変えて、指定された静止画像よりも所定時間以前の動画をＳ３１６にて送信するようにしても良い。
【００７９】
また、図３Ｃに示されるように、Ｓ３２７にてカメラ１００が動画を再生し、Ｓ３２９にてサーバ２００が再生動画を転送し、Ｓ３３２にて管理者端末３００が再生動画を表示しても良い。
【００８０】
＜第２の実施形態＞
【００８１】
第２の実施形態が第１の実施形態と異なる点は、第１の実施形態が管理者端末３００側にてイベントが発生した静止画像を特定していたのに対し、第２の実施形態では、カメラ１００側にてイベントが発生した静止画像を特定する点である。より詳細には、第２の実施形態のカメラ１００の処理部１１０が、指定された静止画像（静止画像特定情報により特定される静止画像）よりも所定時間以前の静止画像と、指定された静止画像との差分を検出する点で第１の実施形態と異なる。また、第２の実施形態のカメラ１００の処理部１１０が、指定された静止画像よりも所定時間以前の動画を検索し、差分が発生した静止画像を特定し、特定した静止画像を含む動画をサーバ２００に送信する点が第１の実施形態と異なる。これによって、管理者が行う監視負担および通信の容量をさらに削減できる。なお、イベントが発生した静止画像をサーバ２００が特定するようにしても良い。
【００８２】
以下、第２の実施形態を第１の実施形態と異なる点を主に図４Ａ、図４Ｂを用いて説明する。
［全体処理］
【００８３】
図４Ａ、図４Ｂは、本発明の第２の実施形態における全体処理の概要を示す図である。
【００８４】
まず、カメラ１００は、動画を撮像する。また、カメラ１００の処理部１１０は、撮像した動画をメモリ１２０に記録する（Ｓ４０１）。
【００８５】
次に、カメラ１００の処理部１１０は、メモリ１２０に記録した動画から第１の時間間隔（例えば、１時間）で静止画像を抽出する（Ｓ４０２）。
【００８６】
次に、カメラ１００は、抽出した静止画像をサーバ２００へ送信する（Ｓ４０３）。
【００８７】
次に、サーバ２００の通信部２１０は、カメラ１００から送信された静止画像を受信する（Ｓ４０４）。通信部２１０は、受信した静止画像をサムネイル画像生成部２２０に入力する。
【００８８】
次に、サーバ２００のサムネイル画像生成部２２０は、入力された静止画像に基づきサムネイル画像を生成する（Ｓ４０５）。サムネイル画像生成部２２０は、生成したサムネイル画像を通信部２１０に入力する。
【００８９】
次に、サーバ２００は、Ｓ４０５にて生成したサムネイル画像を含む管理者画面を生成する（Ｓ４０６）。
【００９０】
次に、管理者端末３００の通信部３１０は、Ｓ４０６にて生成した管理者画面（管理者画面を表示するための画像データ）を管理者端末３００へ送信する（Ｓ４０７）。
【００９１】
次に、管理者端末３００の処理部３３０は、受信したサムネイル画像を含む管理者画面（前述、図２）をディスプレイに表示させる（Ｓ４０８）。
【００９２】
次に、管理者端末３００の操作部３２０は、静止画像を指定するための入力を受け付ける（Ｓ４０９）。
【００９３】
次に、管理者端末３００の通信部３１０は、Ｓ４０９にて指定された静止画像を特定するための情報である静止画像特定情報をサーバ２００へ送信する（Ｓ４１０）。
【００９４】
次に、サーバ２００の通信部２１０は、管理者端末３００から送信された静止画像特定情報を受信する（Ｓ４１１）。
【００９５】
次に、サーバ２００の通信部２１０は、静止画像特定情報をカメラ１００へ送信する（Ｓ４１２）。
【００９６】
次に、カメラ１００は、静止画像特定情報を受信する（Ｓ４１３）。
【００９７】
次に、カメラ１００の処理部１１０は、静止画像特定情報から特定される静止画像よりも所定時間以前の静止画像と、静止画像特定情報から特定される静止画像との差分を検出する（Ｓ４１４）。
【００９８】
次に、カメラ１００の処理部１１０は、動画抽出処理（後述、図４Ｂ）を実行する（Ｓ４１５）。これによって、カメラ１００の処理部１１０は、差分が発生した静止画像を特定する。
【００９９】
次に、カメラ１００は、Ｓ４１５にて特定した静止画像を含む動画をサーバ２００へ送信する（Ｓ４１６）。なお、Ｓ４１４にて差分が検出されていない場合、カメラ１００は、動画をサーバ２００へ送信しない。
【０１００】
次に、サーバ２００の通信部２１０は、カメラ１００から送信された動画を受信する（Ｓ４１７）。
【０１０１】
次に、サーバ２００は、動画を再生する（Ｓ４１８）。
【０１０２】
そして、サーバ２００の通信部２１０は、Ｓ４１８にて再生している再生動画を管理者端末３００へ送信する（Ｓ４１９）。
【０１０３】
次に、管理者端末３００の通信部３１０は、サーバ２００から送信された再生動画を受信する（Ｓ４２０）。
【０１０４】
次に、管理者端末３００の処理部３３０は、受信した再生動画をディスプレイを介して表示する（Ｓ４２１）。
【０１０５】
なお、Ｓ４１４にて、カメラ１００は、静止画像内の予め決められた領域（例えば、領域を指定する入力を受け付ける）を対象に差分を検出するようにしても良い。これによって、車両が駐車場に正常に停車しているような場合や、車両が駐車場内を移動する場合に、イベントとして誤まって検出してしまうことを抑制できる。なお、差分を検出する領域としては、過去にゴミが置かれた駐車場内の領域がある。また、差分を検出する領域としては、駐車スペースや車両が走行する領域を除外した領域がある。また、差分を検出する領域としては、ビルのエントランスや、災害が発生しやすい領域や、ゴミ捨て場などがある。
【０１０６】
また、Ｓ４２１にて、管理者端末３００は、差分が検出された静止画像を含む再生動画を表示するようにしても良い。これによって、イベントの誤検出を抑制するとともに、管理者の映像監視の負担を低減できる。すなわち、イベント発生時以外は、通信や動画の再生を行わないようにすることで、さらに、通信の容量や、映像監視負担を低減できる。
［動画抽出処理］
【０１０７】
図５は、本発明の第２の実施形態における動画抽出処理の概要を示す図である。
【０１０８】
まず、カメラ１００は、Ｓ４１４にて差分を検出したか判定する（Ｓ５０１）。
【０１０９】
Ｓ５０１にて差分を検出したと判定する場合、カメラ１００は動画を抽出する（Ｓ５０２）。そして、カメラ１００は抽出した動画をサーバ２００へ送信する（Ｓ５０３）。
【０１１０】
次に、サーバ２００は、動画を受信する（Ｓ５０４）。
【０１１１】
次に、サーバ２００は、動画を再生する（Ｓ５０５）。
【０１１２】
そして、サーバ２００の通信部２００は、Ｓ５０５にて再生している再生動画を管理者端末３００へ送信する（Ｓ５０６）。
【０１１３】
次に、管理者端末３００は、再生動画を受信する（Ｓ５０７）。そして、管理者端末３００は受信した再生動画をディスプレイを介して表示する（Ｓ５０８）。
【０１１４】
Ｓ５０１にて差分を検出していないと判定する場合、カメラ１００は、差分の検出を終了するかを判定する（Ｓ５０９）。カメラ１００が、差分の検出を終了すると判定する場合には、エラーを出力する（Ｓ５１０）。一方、カメラ１００が、差分の検出を終了しないと判定する場合には、Ｓ４１４に戻る。
【０１１５】
本発明は上述した実施形態には限定されない。
【０１１６】
すなわち、当業者は、本発明の技術的範囲またはその均等の範囲内において、上述した実施形態の構成要素に関し、様々な変更、コンビネーション、サブコンビネーション、並びに代替を行ってもよい。例えば、上記した実施形態は、必ずしも説明した全ての構成を備えるものに限定されるものではない。また、ある実施形態の構成の一部を他の実施形態の構成に置き換えることが可能である。また、ある実施形態の構成に他の実施形態の構成を加えることも可能である。
【０１１７】
また、制御線や情報線は説明上必要と考えられるものを示しており、製品上必ずしも全ての制御線や情報線を示しているとは限らない。
【産業上の利用可能性】
【０１１８】
本発明は、カメラ１００で撮像した動画や静止画像を管理者端末３００などのディスプレイに表示し監視するシステムに適用可能である。
【符号の説明】
【０１１９】
１０…映像監視システム
１００…カメラ
１１０…処理部
１２０…メモリ
２００…サーバ
２１０…通信部
２２０…サムネイル画像生成部
２３０…処理部
３００…管理者端末
３１０…通信部
３２０…操作部
３３０…処理部
【図１】
2017192022.tif 000003
【図２Ａ】
2017192022.tif 000004
【図２Ｂ】
2017192022.tif 000005
【図２Ｃ】
2017192022.tif 000006
【図３Ａ】
2017192022.tif 000007
【図３Ｂ】
2017192022.tif 000008
【図３Ｃ】
2017192022.tif 000009
【図４Ａ】
2017192022.tif 000010
【図４Ｂ】
2017192022.tif 000011